(57)【特許請求の範囲】
【請求項１】
前面が開口した本体ケースと、この本体ケースの前面に開閉可能に取り付けられ、前記開口を閉塞する前面扉と、この前面扉と本体ケースとの間に配置され、断熱隔壁により分割されたホット室、コールド室間の熱移動を阻止する内扉とを備えた自動販売機において、前記内扉の背面に筆記具により文字等を書いたり消したりすることが可能であり、かつ、断熱性材料を剥き出しにしてなる内扉の一面にシート材を貼り付けたパネルを全面に貼着して設けたことを特徴とする自動販売機。
【請求項２】
前面が開口した本体ケースと、この本体ケースの前面に開閉可能に取り付けられ、前記開口を閉塞する前面扉と、この前面扉と本体ケースとの間に配置され、断熱隔壁により分割されたホット室、コールド室間の熱移動を阻止する内扉とを備えた自動販売機において、前記内扉の背面に筆記具により文字等を書いたり消したりすることが可能であり、かつ、鉄板からなる内扉の一面にシート材を貼り付けたパネルを全面に貼着して設けたことを特徴とする自動販売機。
【請求項３】
請求項１、または請求項２に記載の自動販売機において、パネルは速乾性インクで書いたり消したりすることが可能な白色パネルからなることを特徴とする自動販売機。
【発明の詳細な説明】
【０００１】
【発明の属する技術分野】
この発明は、前面が開口した本体ケースと、この本体ケースの前面に開閉可能に取り付けられ、前記開口を閉塞する前面扉と、この前面扉と本体ケースとの間に配置された内扉とを備えた自動販売機に関する。
【０００２】
【従来の技術】
例えば、たばこを販売する自動販売機においては、前面が開口した本体ケース内に商品を収納した複数の商品収納ラックが組み込まれ、前記本体ケースの前面には、その前面開口を閉塞する外扉が該本体ケースに開閉可能に取り付けられている。この外扉には複数の商品選択押釦，貨幣投入口，商品取出口などが配設され、前記本体ケースと外扉との間には商品サンプルを搭載する内扉（中扉）が配置されている。このたばこ自動販売機へのたばこの補充は、外扉，中扉を順に開いて商品収納ラック内にたばこを装填する。また、缶入り飲料を販売する自動販売機においては、前面が開口した本体ケース内に商品を収納した複数の商品収納ラックが組み込まれた断熱性の収納庫を備え、前記本体ケースにはその前面開口を閉塞する外扉が取り付けられ、この外扉には複数の商品選択押釦，貨幣投入口，商品取出口などが配設されている。前記収納庫の前面開口は断熱性の内扉で閉塞され、この内扉と外扉との間には商品サンプルを搭載する中扉が配置されている。前記収納庫内に缶入り飲料を補充する際には、外扉，中扉および内扉を順に開放して商品収納ラックの商品投入口から商品を投入する。
【０００３】
【発明が解決しようとする課題】
たばこや缶入り飲料などの自動販売機において、複数の商品収納ラックに収納されている商品の種類は中扉や内扉に貼着されたコラム銘板に表示されており、商品の補充はコラム銘板の表示に従って行われる。ここで、コラム銘板に表示された商品とは異なる商品を商品収納ラックに入れ替え作業を行う場合には、新商品の入れ替えと同時にコラム銘板の差し替えや書き換えという作業を行って商品収納ラック内の商品の種類を明示する。ところが、頻繁に商品を入れ替える場合、新たなコラム銘板の準備が間に合わなかったり、コラム銘板の書き換えスペースがなくなったりすることから、適当な有り合わせの用紙に記入してそのメモ書きを中扉や内扉に粘着テープなどで貼り付けていた。また、商品を補充した時期を記入したメモ書きや、直ちに修理を行う必要はないが点検時にはチェックが必要な修理箇所などを記入したメモ書きなどについても、中扉や内扉に粘着テープなどで貼り付けていた。しかしながら、粘着テープは温度が高くなると剥がれやすいので、メモ用紙がなくなるおそれがあり、この場合には商品収納ラック内に収納した商品（種類）が混在してしまったり、折角見つけた修理箇所が分からなくなってしまうという問題を有する。
【０００４】
そこで、本発明の目的は、従来装置の欠点を除去し、簡単な構成で自動販売機に関するさまざまな情報を個々の自動販売機ごとに確実に残しておくことが可能な自動販売機を提供することにある。
【０００５】
【課題を解決するための手段】
上記課題を解決するために、請求項１記載の発明は、前面が開口した本体ケースと、この本体ケースの前面に開閉可能に取り付けられ、前記開口を閉塞する前面扉と、この前面扉と本体ケースとの間に配置され、断熱隔壁により分割されたホット室、コールド室間の熱移動を阻止する内扉とを備えた自動販売機において、前記内扉の背面に筆記具により文字等を書いたり消したりすることが可能であり、かつ、断熱性材料を剥き出しにしてなる内扉の一面にシート材を貼り付けたパネルを全面に貼着して設けたことを特徴とする。また、請求項２記載の発明は、前面が開口した本体ケースと、この本体ケースの前面に開閉可能に取り付けられ、前記開口を閉塞する前面扉と、この前面扉と本体ケースとの間に配置され、断熱隔壁により分割されたホット室、コールド室間の熱移動を阻止する内扉とを備えた自動販売機において、前記内扉の背面に筆記具により文字等を書いたり消したりすることが可能であり、かつ、鉄板からなる内扉の一面にシート材を貼り付けたパネルを全面に貼着して設けたことを特徴とする。また、請求項３記載の発明は、請求項１、または請求項２に記載の自動販売機において、パネルは速乾性インクで書いたり消したりすることが可能な白色パネルからなることを特徴とする。
【０００６】
【発明の実施の形態】
本発明においては、本体ケースの前面に開閉可能に取り付けられ、本体ケース前面の開口を閉塞する前面扉の裏面あるいはこの前面扉と本体ケースとの間に配置された内扉の表面または背面に各種表示や構成部品が施されていない空きスペースが有ることに着目し、その空きスペースに筆記具により文字等を書いたり消したりすることができる白色パネルやマグネットパネルを取り付ける。
【０００７】
【実施例】
図１は本発明の一実施例を示す自動販売機の扉を開放した概略図であり、図２は内扉の展開斜視図、図３は内扉の断面図である。
図１において、１は自動販売機の本体ケース、２は商品収納ラック３が組み込まれた断熱性の収納庫であり、庫内は断熱隔壁２１，２１によりホット室，コールド室に分割されている。商品収納ラック３は湾曲したセグメント３ｃを上下方向に並べて配置したセグメント列を前後に間隔をおいて対向して配置することにより商品通路を形成したサーペンタイン式のラックからなり、この商品収納ラック３には上方に商品投入口３ａ、下方に商品搬出装置３ｂを備え、この実施例の場合、収納庫２内には左右方向に５列、奥行き方向に５段の商品収納ラック３が組み込まれている。商品収納ラック３における商品搬出装置３ｂの下方には、商品搬出装置３ｂから搬出された商品が落下する商品シュート４が配置され、この商品シュート４の後方には収納庫内を冷却または加熱する冷却加熱装置が配置されている。５は前記冷却加熱装置のうち、冷却装置に冷媒を供給して冷凍サイクルを形成する圧縮機，凝縮機などが配設された機械室である。前記収納庫２の前面を閉塞する内扉は、上下に分割された上部内扉６ａ，下部内扉６ｂとからなり、上部内扉６ａは商品収納ラック３の商品投入口３ａ部分に対応している。下部内扉６ｂは商品シュート４に対応する位置に搬出扉６ｃ、商品収納ラック３に収納された商品の種類が記入されたコラム銘板６ｄを有する。７は外扉であり、図では隠れて見えない前面に商品サンプルを展示する展示室，商品選択押釦，貨幣投入口などが配設され、また商品取出口７ａが設けられている。８は外扉７と内扉（６ａ，６ｂ）の間に配置された中扉であり、前記商品展示室内に展示される商品サンプルが搭載されている。外扉７は本体ケース１に左端をヒンジ結合され、中扉８および内扉（６ａ，６ｂ）は外扉７にそれぞれ左端をヒンジ結合されている。９は上部内扉６ａに取り付けられた本発明からなる白色パネルである。
【０００８】
この白色パネル９の構成を図２および図３を用いて説明する。図２は上部内扉６ａの展開斜視図であり、６１はウレタンボードからなるスラブ材、６２〜６５はそれぞれコ字形状の側板であり、スラブ材６１の４辺に側板６２〜６５のコ字形状部分を嵌め込んで各側板６２〜６５をねじ結合し、各側板６２〜６５により枠を形成することによりスラブ材６１の機械的強度を得ている。なお、側板６５の下方、すなわち下部内扉６ｂにはガスケット６５ａが設けられている。前記スラブ材６１の両面には、図３に示すように、面材として白色の紙９１を介してポリエステルシートからなるシート材９２が貼着されており、この白色の紙９１とシート材９２により白色パネル９が構成されている。この白色パネル９の表面、すなわちシート材９２表面には黒，青などの白色以外の有色のインクにより筆記することができる。従って、商品の入れ替えを行う場合、入れ替えを行った商品収納ラック３の番号や商品名称を白色パネル９に書き留めておくことにより、後日補充する際に間違えて種類の異なる商品を補充してしまうという誤投入を確実に防止できる。また、直ちに修理の必要はないが、点検時には修理を行った方がよいというような修理箇所に気付いた場合などについても白色パネル９に書き留めておくことにより、個々の自動販売機ごとに修理箇所を残すことができるので、点検時に確実に修理できる。
【０００９】
また、この実施例における白色パネル９は商品収納庫内をホット室，コールド室に分割した際の熱移動を阻止する役目や内扉の軽量化にも寄与しており、これについて次に説明する。ホット商品とコールド商品を併売するように構成された自動販売機は良く知られており、例えば図１における左右５つの商品収納ラック３のうち、中央の商品収納ラック３をホット室、このホット室の両側をコールド室とする場合、各室の間には断熱隔壁２１，２１が配設されている。収納庫２内は断熱隔壁２１，２１で仕切られる一方、収納庫２の前方は内扉で仕切られる。一般的に内扉は鉄板により箱を形成して内扉の外表面を形成し、その箱内にウレタン液を充填して発泡させることにより形成され、この場合、断熱隔壁２１，２１と対峙する部分に左右２列で千鳥状にスリットを穿孔してホット室，コールド室間の伝熱経路の実効長を長くして、ホット室とコールド室との間の熱移動を低減するように構成されている（例えば特開平８−１６７０７１号公報）。このように、従来、鉄板により箱を形成して内扉の外表面を形成するのに比べ、図２に示す実施例では、スラブ材６１と、その４辺に取り付けられる側板６２〜６５により内扉が形成されているので、軽量化が図れる。また、スラブ材６１の表面、この場合には庫内を向く背面には鉄よりも熱伝導の低いシート材９２が貼り付けられているので、ホット室とコールド室との間の熱移動が少なく、さらに熱移動を低減するための工作も不要である。なお、この実施例では上部内扉６ａに白色パネルを取り付ける場合について説明したが、下部内扉６ｂに白色パネルを取り付けることもできる。
【００１０】
また、上記実施例では内扉に白色パネルを取り付けた例を示したが、中扉や外扉の裏面に白色パネルを取り付けることもできる。この場合、扉に施された各種表示や構成部品が取り付けられていない空きスペースに白色の紙を介してシート材を貼り付けることにより白色パネルを形成する。この白色パネルは扉を形成する鉄板の上に貼り付けられるので、鉄板に錆の発生するのを防止でき、腐食による不衛生感を与えることがなくなる。さらに、シート材に替えて磁気により鉄板に吸着するマグネットボードを用いることもできる。
前記実施例においては白色パネルを用いる場合について説明したが、この発明においては白色に限られるものではない。
【００１１】
【発明の効果】
前述したとおり、請求項１記載の発明では、前面が開口した本体ケースと、この本体ケースの前面に開閉可能に取り付けられ、前記開口を閉塞する前面扉と、この前面扉と本体ケースとの間に配置され、断熱隔壁により分割されたホット室、コールド室間の熱移動を阻止する内扉とを備えた自動販売機において、前記内扉の背面に筆記具により文字等を書いたり消したりすることが可能であり、かつ、断熱性材料を剥き出しにしてなる内扉の一面にシート材を貼り付けたパネルを全面に貼着して設けたことを備えたことにより、個々の自動販売機における情報を確実に書き記して残すことができ、自動販売機を管理するルートマンが代わったとしても自動販売機の情報が新たなルートマンに確実に伝達される。また、扉の腐食を防止することができる。
【００１２】
また、請求項１記載の発明では、パネルを断熱性材料を剥き出しにしてなる内扉の一面にシート材を貼り付けたものとすることにより、内扉の軽量化を図ることができるとともに庫内の熱伝導を低減できる。さらに、請求項３記載の発明では、パネルを速乾性インクで書いたり消したりすることが可能な白色パネルから構成することにより、黒色，青色，赤色などの種々の色インクで情報を書き記すことができる。
【図面の簡単な説明】
【図１】この発明の一実施例を示す自動販売機の扉を開放した概略図。
【図２】図１における内扉の展開斜視図。
【図３】図２における内扉の断面図。
【符号の説明】
１…本体ケース、２…収納庫、３…商品収納ラック、６ａ…上部内扉、７…外扉、８…中扉、９…白色パネル、６１…スラブ材、９２…シート材。
【図１】
0003846106.tif 000002
【図２】
0003846106.tif 000003
【図３】
0003846106.tif 000004